(57)【要約】  一連の使い方のルールは、制限された使い方のルールを伴う領域（１１１）内にあるかどうかに基づいて、無線機器（ｗｉｒｅｌｅｓｓ  ｄｅｖｉｃｅ）の特定の機能（たとえば、呼出音、カメラの使用など）を無効にするため、あるいは機器の電源を強制的に切断するために使用する。多くのＢＬＵＥＴＯＯＴＨ（登録商標）対応機器または該当する機能を備えるその他の機器（１００ａ〜１００ｄ）、たとえば、携帯電話、携帯情報端末（ＰＤＡ：ｐｅｒｓｏｎａｌ  ｄｉｇｉｔａｌ  ａｓｓｉｓｔａｎｔ）、ポケベル、ＢＬＡＣＫＢＥＲＲＹ（商標）機器やＳＭＡＲＴＦＨＯＮＥ（商標）機器などの電子メール機器（１００ａ〜１００ｄ）は、ルール実施トランシーバ（Ｒｕｌｅｓ  Ｅｎｆｏｒｃｅｒ  Ｔｒａｎｓｃｅｉｖｅｒ）（１５０）によって、１つまたは複数のルールを実施するように自動的に命令されてもよい。「ルール対応」の携帯電話（１００ａ〜１００ｄ）またはその他の無線機器（１００ａ〜１００ｄ）では、このように、病院、映画館などの影響を受けやすい領域（１１１）を考慮することができる。たとえば、呼出音を無効化することができる（または、代わりにバイブレーションなどのサイレント呼出を強制的に有効化してもよい）。同様に、カメラの機能を備える機器（１００ａ〜１００ｂ）の使用を禁止する特定の施設（１１１）、たとえば、ヘルス・クラブ、温泉、企業のオフィスなどに入った場合は、産業スパイ活動などを防止するために、そうした機能を無効化してもよい。
2008507893.tif 000002
【特許請求の範囲】
【請求項１】
無線機器に関する使い方のルールを実施する通信プロトコルであって、
前記無線機器によって強制的に開始される動作に関連する少なくとも１つのルールを設定するステップと、
前記無線機器が前記使い方のルールの物理的な適用範囲に入った場合に、前記少なくとも１つのルールを前記無線機器に無線送信するステップとを備えており、
前記少なくとも１つのルールは前記無線機器の動作パラメータに関連し、前記無線機器のユーザーは前記少なくとも１つのルールを覆すことを許可されない通信プロトコル。
【請求項２】
無線機器の使い方のルールを実施する通信プロトコルであって、
前記使い方のルールは前記無線機器の電源の強制的な切断である請求項１に記載の通信プロトコル。
【請求項３】
無線機器の使い方のルールを実施する通信プロトコルであって、
前記使い方のルールは前記無線機器のモードの強制的な変更である請求項１に記載の通信プロトコル。
【請求項４】
無線機器の使い方のルールを実施する通信プロトコルであって、
前記モードの強制的な変更は前記無線機器のサイレント・モードの開始である請求項３に記載の通信プロトコル。
【請求項５】
無線機器の使い方のルールを実施する通信プロトコルであって、
前記無線機器は携帯電話である請求項１に記載の通信プロトコル。
【請求項６】
無線機器の使い方のルールを実施する通信プロトコルであって、
前記無線機器は携帯情報端末（ＰＤＡ）である請求項１に記載の通信プロトコル。
【請求項７】
無線機器の使い方のルールを実施する通信プロトコルであって、
前記無線機器は電子メール機器である請求項１に記載の通信プロトコル。
【請求項８】
無線機器の使い方のルールを実施する通信プロトコルであって、
前記無線送信は確立されたｐｉｃｏｎｅｔネットワークを経由して送信される請求項１に記載の通信プロトコル。
【請求項９】
無線機器の使い方のルールを実施する通信プロトコルであって、
前記確立されたｐｉｃｏｎｅｔネットワークはＢＬＵＥＴＯＯＴＨ（登録商標）標準に準拠する請求項８に記載の通信プロトコル。
【請求項１０】
無線機器の動作に関する義務付けられた使い方のルールを実施する方法であって、
前記無線機器が前記使い方のルールの物理的な適用範囲に入った場合に、前記無線機器の少なくとも１つの機能の動作に関連する少なくとも１つのルールを受信するための無線リンクを確立するステップと、
前記無線機器の前記少なくとも１つのルールに含まれる命令を自動的に実施するステップとを備えており、
前記少なくとも１つのルールは前記無線機器の動作パラメータに関連しており、前記無線機器のユーザーは前記少なくとも１つのルールを覆すことを許可されない方法。
【請求項１１】
無線機器の使い方のルールを実施する方法であって、
前記使い方のルールは前記無線機器の電源の強制的な切断である請求項１０に記載の方法。
【請求項１２】
無線機器の使い方のルールを実施する方法であって、
前記使い方のルールは前記無線機器のモードの強制的な変更である請求項１０に記載の方法。
【請求項１３】
無線機器の使い方のルールを実施する方法であって、
前記モードの強制的な変更は前記無線機器のサイレント・モードの開始である請求項１２に記載の方法。
【請求項１４】
無線機器の使い方のルールを実施する方法であって、
前記無線機器は携帯電話である請求項１０に記載の方法。
【請求項１５】
無線機器の使い方のルールを実施する方法であって、
前記無線機器は携帯情報端末（ＰＤＡ）である請求項１０に記載の方法。
【請求項１６】
無線機器の使い方のルールを実施する方法であって、
前記無線機器は電子メール機器である請求項１０に記載の方法。
【請求項１７】
無線機器の使い方のルールを実施する方法であって、
前記無線リンクはｐｉｃｏｎｅｔネットワークである請求項１０に記載の方法。
【請求項１８】
無線機器の使い方のルールを実施する方法であって、
前記ｐｉｃｏｎｅｔネットワークはＢＬＵＥＴＯＯＴＨ（登録商標）標準に準拠する請求項１７に記載の方法。
【請求項１９】
無線機器の使い方のルールを実施する装置であって、
前記無線機器によって強制的に開始される動作に関連する少なくとも１つのルールを設定する手段と、
前記無線機器が前記使い方のルールの物理的な適用範囲に入った場合に、前記少なくとも１つのルールを前記無線機器に無線送信する手段とを備えており、
前記少なくとも１つのルールは前記無線機器の動作パラメータに関連しており、前記無線機器のユーザーは前記少なくとも１つのルールを覆すことを許可されない装置。
【請求項２０】
無線機器の動作に関する義務付けられた使い方のルールを実施する装置であって、
前記無線機器が前記使い方のルールの物理的な適用範囲に入った場合に、前記無線機器の少なくとも１つの機能の動作に関連する少なくとも１つのルールを受信するための無線リンクを確立する手段と、
前記無線機器の前記少なくとも１つのルールに含まれる命令を自動的に実施する手段とを備えており、
前記少なくとも１つのルールは前記無線機器の動作パラメータに関連しており、前記無線機器のユーザーは前記少なくとも１つのルールを覆すことを許可されない装置。
【発明の詳細な説明】
【技術分野】
【０００１】
本発明は、携帯電話および／またはその他のＢＬＵＥＴＯＯＴＨ（登録商標）対応機器の使い方に関するルールのある施設、車両、および場所の中でのそうした機器の使い方に関する。
【背景技術】
【０００２】
無線電話（すなわち携帯電話）の有用性と利便性に異議を唱える者はいない。無線電話は、多くの人々にとって日常の利器になっており、多くの場合、人が移動するときにほとんど１日中携帯している。
【０００３】
携帯電話、特にカメラを内蔵した携帯電話のモデルが普及するにつれて、適切な使い方に関する問題が大きくなりつつある。たとえば、カメラは不適切な場所で写真を撮るといったカメラの分別のない使い方によって、プライバシーの侵害に関する問題が発生する。他にも、携帯電話の呼出音が公衆の迷惑になるといった問題がある。社会的な問題の他にも、特定の制限された環境（たとえば航空機や病院）で携帯電話を使用することによって、安全性の問題が発生している。
【０００４】
たとえば、飛行中の航空機内では携帯電話の電源を切ることを要求する米国連邦規制が実施されているが、これは携帯電話を使用することによって航空機の機能および／またはその通信を妨害する可能性があることが確認されているためである。乗客はそうした規制を遵守するが、それにもかかわらず不注意で携帯電話の電源を切ることを忘れたり、電源の入った携帯電話がバッグの中にあることさえ忘れていたりすることがある。現在のところ、飛行中に電源が入った状態の携帯電話を検出し、特定することによってこの規制の遵守を保証する機器はない。
【０００５】
無関係な一般大衆の不安を払拭するための１つの試みとして、多くの施設がこうした携帯電話の使い方に関するルールを提示してきた。たとえば、多くのヘルス・クラブや温泉では、カメラの付いた無線機器の使用を許可していない。こうしたルールを徹底するために、ヘルス・クラブではたびたび大きな目に付きやすい標識を入口に配置し、敷地内ではカメラ付きの携帯電話、さらに言えばカメラ一切の使用が許可されていないことを利用者に警告し、注意を促している。このような施設には、禁止されている無線機器の使用について監視をする職員はほとんどおらず、まして許可のない利用が検出された場合にそれを中止させる権限または力量のある職員はさらに少ない。したがって、こうしたカメラ機能のある携帯電話やその他の機器の不使用は、ほとんどが自主性による自己申告システムに基づくものであり、遵守されることが望まれている。
【発明の開示】
【発明が解決しようとする課題】
【０００６】
指定された施設、場所、車両などの中で許可されていない無線機器の使用モードを防止するための容易で信頼できる改良された技術が必要とされている。
【課題を解決するための手段】
【０００７】
本発明の原理により、無線機器の使い方のルールを実施するための通信プロトコルは、無線機器に強制的に適用される、動作に関連する少なくとも１つのルールを設定する工程を備えている。無線機器が使い方のルールの物理的な適用範囲に入ると、少なくとも１つのルールが無線機器に無線送信される。少なくとも１つのルールは、無線機器の動作のパラメータに関連しており、ユーザーはこの少なくとも１つのルールを覆すことを許可されない。
【０００８】
本発明の別の態様により、無線機器の動作に関する義務付けられた使い方のルールを実施する方法は、無線リンクを確立し、無線機器が使い方のルールの物理的な適用範囲に入った場合の無線機器の少なくとも１つの機能の動作に関連する少なくとも１つのルールを受信する工程を備えている。無線機器の少なくとも１つのルールに含まれる命令が自動的に実施される。少なくとも１つのルールは、無線機器の動作のパラメータに関連しており、ユーザーはこの少なくとも１つのルールを覆すことを許可されない。
本発明の機能と利点は、以下の説明と関連の図面から当業者には明らかになるであろう。
【発明を実施するための最良の形態】
【０００９】
本発明は、ハードウェアと組み合わせて動作し、電子機器が制限された使い方のルールを伴う領域内にあるかどうかに基づいて、無線機器の特定の機能（たとえば、呼出音、カメラの使用など）を無効化するか、または電源を強制的に切断するか、あるいは電子機器を無効化する一連の使い方のルールを実装する。したがって、無線機器（携帯電話など）の該当する機能の使用可能性は、無線機器があらかじめ定義された領域内にあるかどうかに基づいて制限される。
【００１０】
本発明の原理により、「ルール対応」の携帯電話またはその他の無線機器は、病院、映画館などの影響を受けやすい領域を安全に考慮することができる。呼び出し音が迷惑になる場所では、携帯電話の設定が自動的に変更される。たとえば、呼出音が無効化されてもよい（または、代わりにバイブレーションなどのサイレント呼出が強制的に有効化されてもよい）。同様に、カメラの機能は、そうした機器の使用を禁止する特定の施設、たとえば、ヘルス・クラブ、温泉、企業のオフィスなどに入った場合は、産業スパイ活動を防止するために無効化してもよい。
【００１１】
図１は、本発明の原理により、ルール実施トランシーバから提供された１つまたは複数のルールを実施するように自動的に制御される多くのＢＬＵＥＴＯＯＴＨ（登録商標）対応機器（たとえば、携帯電話、携帯情報端末（ＰＤＡ）、ポケベル、ＢＬＡＣＫＢＥＲＲＹ（商標）機器やＳＭＡＲＴＦＨＯＮＥ（商標）機器などの電子メール機器）を示している。
【００１２】
具体的には、図１に示すように、さまざまな無線機器、特にＢＬＵＥＴＯＯＴＨ（登録商標）標準に準拠するｐｉｃｏｎｅｔ機器は、敷地内１１１（たとえば、病院、航空機など）に入ると、ルール実施トランシーバ１５０との通信を確立する。
【００１３】
動作中に、適切な送信機器１５０（本明細書では「ルール送信機」または「ルール実施トランシーバ」と呼ぶ）が入口および／または出口付近に置かれ、指定された設備はその全域にわたってこうしたルールで保護される。これで、特定のサイト内やサイト内の特定の場所およびユーザーに固有の基準に基づいて、携帯電話の該当する機能を許可したりしなかったりできる。
【００１４】
こうした「ルール」送信機１５０は、対象とする領域によって、ＲＦ、ＢＬＵＥＴＯＯＴＨ（登録商標）、赤外線などの技術を基盤とすることができる。したがって、該当する無線機器は、同様にＲＦ、ＢＬＵＥＴＯＯＴＨ（登録商標）、赤外線などの技術を基盤とした対応する適切な受信機を備えている。
【００１５】
提示された例では、ルール実施トランシーバ１５０はマスターの役割を果たし、無線通信機器１００ａ〜１００ｄのそれぞれはルール実施トランシーバ１５０とのｐｉｃｏｎｅｔネットワークによる仮想リンクを確立する。
【００１６】
図２Ａは、本発明の原理により、ルール実施トランシーバ１５０によって保守できるルール表２０７の例を示している。使用する特定の表は、任意の形式をとることができ、かつ／または任意のルールを含めることができ、こうしたルールによって関連の機器が制限される。
【００１７】
たとえば、表２０７の第１のエントリに示すように、「電源を切断」するルールは、ルール実施トランシーバ１５０を含むネットワークに入る携帯電話に関連付けられていてもよい。
【００１８】
図２Ａに示す表２０７の例示的な第２のエントリでは、すべての携帯情報端末（ＰＤＡ）は電源が入った状態でルールを受信した場合に、強制的、自動的に電源を切断するように命令するルールが適用される。もちろん、すでに電源が切断されている機器については、ルールを受信かつ／または適用する必要はない。
【００１９】
特定の種類のすべての機器が対象となってもよいし、限定条件が適用されてもよい。たとえば、すべての携帯電話が１つのルールによって電源を切断するように命令されてもよい。代わりに、カメラを備える携帯電話のみが電源を切断するように命令され、カメラのない携帯電話は引き続き動作を許可されてもよい（つまり、ルールが適用されなくてもよい）。
【００２０】
表２０７の第３のエントリでは、ポケベルに対して強制的にサイレント・モード（すなわち、呼出音が鳴らず、振動のみ）に入るルールが適用される。
第４のエントリでは、表２０７の他の部分で指定されていない「その他の機器」が電源を切断するように命令される。
【００２１】
表２０７の第５のエントリでは、任意の／すべての機器に限定条件を適用できる。たとえば、州または政府の担当者（たとえば、警察、軍、消防など）の証明を伴う機器は、他のすべてのルールを取り消すというルールを受信してもよい。このように、特定のルールがその他のルールを無効にすることもできる。
【００２２】
図２Ｂは、本発明の原理により、ルールは単純でも詳細かつ複雑でもよいが、任意の１種類の機器に対してこうした複数のルールが適用される様子を示している。複数のルールは、無線機器１００ａ〜１００ｄに送信される前にルール実施トランシーバ１５０によってコンパイルされるが、個別に送信でき、個々の無線機器１００ａ〜１００ｄによって解釈できるのが好ましい。
【００２３】
図２Ｂに例示するように、時間および／または日の情報を任意の特定のルールに組み込むことができる。たとえば、時間および／または日によって制限されるルールが任意のルールに適用されてもよい。例として、恐らく病院の環境では携帯電話の利用は夜間のみ制限されており、この場合は、ルール実施トランシーバ１５０からＢＬＵＥＴＯＯＴＨ（登録商標）対応の電話１００ａに電源切断ルールが夜間のみ送信される。
【００２４】
ルール実施トランシーバ１５０から送信されたルールは、該当する無線電話１００ａ〜１００ｄに対して義務付けられており、したがって、電源の切断、モードの変更、特定の機能の無効化など、希望する動作が「強制的に」実施されるように考慮されてもよい。
【００２５】
図３は、図１に示すＢＬＵＥＴＯＯＴＨ（登録商標）対応電話とルール実施トランシーバの該当する部分を示している。
具体的には、図３に示すように、ルール実施トランシーバ１５０には、ＢＬＵＥＴＯＯＴＨ（登録商標）ＲＦトランシーバ２５４などの該当する無線機器とのリンクを確立する無線トランシーバが含まれる。情報交換モジュール２５２は、ルール・データベース２５６から該当するルールを取得し、適切なプロトコル（ＢＬＵＥＴＯＯＴＨ（登録商標）など）を使用してこれを該当する無線機器に送信する。
【００２６】
さらに図３に示すように、受信する無線機器、たとえばＢＬＵＥＴＯＯＴＨ（登録商標）対応電話１００ａには、無線トランシーバ２０６、照合する情報交換モジュール２０４、および受信した特定のルールを実施するアプリケーションまたはモジュール２０８が含まれる。たとえば、サイレント・モードに入るように命令された場合は、情報交換モジュール２０４によって強制的なサイレント・モード開始モジュール２０８が起動され、呼出音などがある場合はこれを無効化し、バイブレータ２０９などの機器を使用したサイレント機能を有効化してもよい。
【００２７】
ルール受信機は、サイトおよびユーザーに固有のルールを受信し、さらに無線機器の特定の機能を適切に無効化する（たとえば、呼出音を無効化する、カメラの使用を無効化するなど）。提供された特定の機能に基づいて、対象となるＢＬＵＥＴＯＯＴＨ（登録商標）対応機器（たとえばＢＬＵＥＴＯＯＴＨ（登録商標）対応携帯電話）のさまざまな機能に関する特定のルールまたは使い方に関する一連の「ルール」が作成される。
【００２８】
図４は、本発明の原理により、電話、ＰＤＡなどのＢＬＵＥＴＯＯＴＨ（登録商標）対応機器にルール情報を提供するルール実施トランシーバを示す例示的な流れ図である。
具体的には、図４の工程４０２に示すように、無線機器のユーザーは、ルール実施トランシーバ１５０の対象となる敷地、場所、航空機などに入る。
【００２９】
工程４０４で、無線機器とルール実施トランシーバ１５０との間でリンクが確立される（提示された例ではＢＬＵＥＴＯＯＴＨ（登録商標）ｐｉｃｏｎｅｔであるが、ＢＬＵＥＴＯＯＴＨ（登録商標）に限定はされない）。
【００３０】
工程４０６で、オプションで機器に関する情報がルール実施トランシーバとの間で交換され、機器の種類が特定される（たとえば、無線機器は携帯電話、ＰＤＡ、ポケベル、Ｓｍａｒｔｐｈｏｎｅのいずれであるか）。
工程４０８で、ルール実施トランシーバ１５０はその種類の機器に対応するルールを取得し、これを一貫したルールと組み合わせてから無線機器に送信するのが好ましい。
【００３１】
工程４０９で、１つまたは複数のルールをルール実施トランシーバ１５０から受信すると、無線機器のユーザーが同意するかどうかにかかわらず、受信したルールの命令が自動的、強制的に実施される。
【００３２】
図５は、本発明の原理により、ルール実施トランシーバから該当するルールを受信することによってモードを強制的に変更されるＢＬＵＥＴＯＯＴＨ（登録商標）対応機器を示す例示的な流れ図である。
具体的には、図５に示すように、工程５０２で、１つまたは複数のルールがルール実施トランシーバ１５０から受信される。
【００３３】
工程５０４で、ルールを受信すると、受信する無線機器１００は要求された動作を自動的に開始する。無線機器１００は、間近に迫った動作に関してディスプレイなどを使用してユーザーに警告するが、恐らく手動で無線機器の電源を切断すること以外に、無線機器のユーザーが特定の動作を覆すことは許可されないのが好ましい。
【００３４】
１つの実施形態では、「ルール」信号とベース・ステーションが存在することによって、電話が特定のサイトに固有のルールに基づいて動作する。ルール信号がない場合は、無線電話（携帯電話など）が標準の動作を再開する。
【００３５】
このように、ルール実施トランシーバ１５０からルールが繰り返し送信されることによって、対象となる無線機器は、指定された時間が経過した後に、強制的な動作から自動的に復帰できるのが好ましい。このシナリオを実現する技術の例として、工程５０６に示すように、ルール・タイムアウト・タイマーをセットしてもよい。
【００３６】
工程５０８で、タイマーが監視され、ルール・タイムアウト・タイマーが切れたかどうかを確認する。
工程５１０で、無線機器は該当するルールの再送信がないかを確認する。再送信が検出されない場合に、無線機器は敷地内で制限のない使い方に復帰できる。
【００３７】
図６は、本発明の原理により、ルール実施トランシーバから適切なルールを受信することによって強制的に電源を切断されるＢＬＵＥＴＯＯＴＨ（登録商標）対応機器を示す例示的な流れ図である。
具体的には、図６に示すように、工程６０２でルール実施トランシーバ１５０からルールが受信される。
工程６０４で、該当する無線機器（たとえばＢＬＵＥＴＯＯＴＨ（登録商標）対応機器）の電源切断が自動的に（すなわち強制的に）開始される。
【００３８】
一般的には無線機器に関連し、具体的にはＢＬＵＥＴＯＯＴＨ（登録商標）対応の携帯電話、携帯情報端末（ＰＤＡ）、ポケベルおよび電子メール機器に関連して開示し、説明してきたが、本発明は他の多くの携帯型電子機器に適用できる。また、ＢＬＵＥＴＯＯＴＨ（登録商標）ｐｉｃｏｎｅｔプロトコルについて説明したが、ルール送信メカニズムとして他の短距離の無線プロトコル（ＺＩＧＢＥＥ（商標）など）を使用してもよい。
本発明について、その例示的な好ましい実施形態に関連して説明してきたが、当業者は本発明の精神と範囲を逸脱することなく、本発明の前述の実施形態に対してさまざまな変更を加えることができるであろう。
【図面の簡単な説明】
【００３９】
【図１】本発明の原理により、ルール実施トランシーバから提供された１つまたは複数のルールを実施するように自動的に制御される多くのＢＬＵＥＴＯＯＴＨ（登録商標）対応機器（たとえば、携帯電話、携帯情報端末（ＰＤＡ）、ポケベル、ＢＬＡＣＫＢＥＲＲＹ（商標）機器やＳＭＡＲＴＦＨＯＮＥ（商標）機器などの電子メール機器）を示す図である。
【図２Ａ】本発明の原理により、ルール実施トランシーバで保守できるルール表の例を示す図である。
【図２Ｂ】本発明の原理により、ルールは単純でも詳細かつ複雑でもよいが、任意の１種類の機器に対してこうした複数のルールが適用される様子を示す図である。
【図３】図１に示すＢＬＵＥＴＯＯＴＨ（登録商標）対応電話とルール実施トランシーバの該当する部分を示す図である。
【図４】本発明の原理により、電話、ＰＤＡなどのＢＬＵＥＴＯＯＴＨ（登録商標）対応機器にルール情報を提供するルール実施トランシーバを示す例示的な流れ図である。
【図５】本発明の原理により、ルール実施トランシーバから適切なルールを受信することによって強制的にモードを変更されるＢＬＵＥＴＯＯＴＨ（登録商標）対応機器を示す例示的な流れ図である。
【図６】本発明の原理により、ルール実施トランシーバから適切なルールを受信することによって強制的に電源を切断されるＢＬＵＥＴＯＯＴＨ（登録商標）対応機器を示す例示的な流れ図である。
【図１】
2008507893.tif 000003
【図２Ａ】
2008507893.tif 000004
【図２Ｂ】
2008507893.tif 000005
【図３】
2008507893.tif 000006
【図４】
2008507893.tif 000007
【図５】
2008507893.tif 000008
【図６】
2008507893.tif 000009
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
無線機器に関する使い方のルールを実施する通信プロトコルであって、
前記無線機器によって強制的に開始される動作に関連する少なくとも１つのルールを設定するステップと、
前記無線機器は、前記使い方のルールが適用する物理的な範囲に入った場合に、前記少なくとも１つのルールを前記無線機器に無線送信するステップとを備えており、
前記少なくとも１つのルールは前記無線機器の動作パラメータに関連し、前記無線機器のユーザーは前記少なくとも１つのルールを覆すことを許可されない通信プロトコル。
【請求項２】
請求項１に記載の無線機器の使い方のルールを実施する通信プロトコルであって、
前記使い方のルールは前記無線機器の電源の強制的な切断である通信プロトコル。
【請求項３】
請求項１に記載の無線機器の使い方のルールを実施する通信プロトコルであって、
前記使い方のルールは前記無線機器のモードの強制的な変更である通信プロトコル。
【請求項４】
請求項３に記載の無線機器の使い方のルールを実施する通信プロトコルであって、
前記モードの強制的な変更は前記無線機器のサイレント・モードの開始である通信プロトコル。
【請求項５】
請求項１に記載の無線機器の使い方のルールを実施する通信プロトコルであって、
前記無線機器は携帯電話である通信プロトコル。
【請求項６】
請求項１に記載の無線機器の使い方のルールを実施する通信プロトコルであって、
前記無線機器は携帯情報端末（ＰＤＡ）である通信プロトコル。
【請求項７】
請求項１に記載の無線機器の使い方のルールを実施する通信プロトコルであって、
前記無線機器は電子メール機器である通信プロトコル。
【請求項８】
請求項１に記載の無線機器の使い方のルールを実施する通信プロトコルであって、
前記無線送信は確立されたｐｉｃｏｎｅｔネットワークを経由して送信される通信プロトコル。
【請求項９】
請求項８に記載の無線機器の使い方のルールを実施する通信プロトコルであって、
前記確立されたｐｉｃｏｎｅｔネットワークはＢＬＵＥＴＯＯＴＨ（登録商標）標準に準拠する通信プロトコル。
【請求項１０】
無線機器の動作に関する強制的な使い方のルールを実施する方法であって、
前記無線機器は、前記使い方のルールが適用する物理的範囲に入った場合に、前記無線機器の少なくとも１つの機能の動作に関連する少なくとも１つのルールを受信するための無線リンクを確立するステップと、
前記無線機器の前記少なくとも１つのルールに含まれる命令を自動的に実施するステップとを備えており、
前記少なくとも１つのルールは前記無線機器の動作パラメータに関連しており、前記無線機器のユーザーは前記少なくとも１つのルールを覆すことを許可されない方法。
【請求項１１】
請求項１０に記載の無線機器の使い方のルールを実施する方法であって、
前記使い方のルールは前記無線機器の電源の強制的な切断である方法。
【請求項１２】
請求項１０に記載の無線機器の使い方のルールを実施する方法であって、
前記使い方のルールは前記無線機器のモードの強制的な変更である方法。
【請求項１３】
請求項１２に記載の無線機器の使い方のルールを実施する方法であって、
前記モードの強制的な変更は前記無線機器のサイレント・モードの開始である方法。
【請求項１４】
請求項１０に記載の無線機器の使い方のルールを実施する方法であって、
前記無線機器は携帯電話である方法。
【請求項１５】
請求項１０に記載の無線機器の使い方のルールを実施する方法であって、
前記無線機器は携帯情報端末（ＰＤＡ）である方法。
【請求項１６】
請求項１０に記載の無線機器の使い方のルールを実施する方法であって、
前記無線機器は電子メール機器である方法。
【請求項１７】
請求項１０に記載の無線機器の使い方のルールを実施する方法であって、
前記無線リンクはｐｉｃｏｎｅｔネットワークである方法。
【請求項１８】
請求項１７に記載の無線機器の使い方のルールを実施する方法であって、
前記ｐｉｃｏｎｅｔネットワークはＢＬＵＥＴＯＯＴＨ（登録商標）標準に準拠する方法。
【請求項１９】
無線機器の使い方のルールを実施する装置であって、
前記無線機器によって強制的に開始される動作に関連する少なくとも１つのルールを設定する手段と、
前記無線機器は、前記使い方のルールが適用する物理的な範囲に入った場合に、前記少なくとも１つのルールを前記無線機器に無線送信する手段とを備えており、
前記少なくとも１つのルールは前記無線機器の動作パラメータに関連しており、前記無線機器のユーザーは前記少なくとも１つのルールを覆すことを許可されない装置。
【請求項２０】
無線機器の動作に関する義務付けられた使い方のルールを実施する装置であって、
前記無線機器は、前記使い方のルールが適用する物理的な範囲に入った場合に、前記無線機器の少なくとも１つの機能の動作に関連する少なくとも１つのルールを受信するための無線リンクを確立する手段と、
前記無線機器の前記少なくとも１つのルールに含まれる命令を自動的に実施する手段とを備えており、
前記少なくとも１つのルールは前記無線機器の動作パラメータに関連しており、前記無線機器のユーザーは前記少なくとも１つのルールを覆すことを許可されない装置。
【国際調査報告】
2008507893.tif 000010